(57)【特許請求の範囲】
【請求項１】
光源部、前記光源部が設置されるステム、前記光源部を内包し、前記ステムに設置され、開口部が設けられたキャップ及び前記開口部に設置された透過部を備えたレーザ光源ユニットと、
前記レーザ光源ユニットの外側で前記透過部に接着剤により接着されたコリメートレンズと、
を備え、
前記コリメートレンズは、
前記光源部から出射した光が入射する入射面と、
前記入射面に入射した光が出射される出射面と、
前記入射面を挟むように設けられた第１の凸部および第２の凸部と、
を備え、
前記第１の凸部は、前記透過部に接着される面を有し、
前記第２の凸部は、前記第１の凸部の前記接着される面と同一の平面上に存在する面を有し、前記透過部に接着されないことを特徴とする光源装置。
【請求項２】
前記コリメートレンズは、前記出射面に位置決め部が設けられたことを特徴とする請求項１に記載の光源装置。
【請求項３】
前記光源部は、光源素子と、波長変換素子とを備えたことを特徴とする請求項１又は２に記載の光源装置。
【請求項４】
前記光源部は、複数の光出射部を有し、
前記コリメートレンズは、複数の前記光出射部にそれぞれ対応した位置に複数のマイクロレンズが配置されたマイクロレンズアレイを含むことを特徴とする請求項１〜請求項３のいずれか１項に記載の光源装置。
【請求項５】
前記コリメートレンズは、前記光源部から出射した光の広がり角度を０．３倍〜０．４倍に変換することを特徴とする請求項１〜請求項４のいずれか１項に記載の光源装置。
【請求項６】
前記接着剤は、紫外線硬化接着剤であることを特徴とする請求項１〜請求項５のいずれか１項に記載の光源装置。
【請求項７】
光源部、前記光源部が設置されるステム、前記光源部を内包し、前記ステムに設置され、開口部が設けられたキャップ及び前記開口部に設置された透過部を備えたレーザ光源ユニットと、
前記レーザ光源ユニットの外側で前記キャップに接着剤により接着されたコリメートレンズと、
を備え、
前記コリメートレンズは、
前記光源部から出射した光が入射する入射面と、
前記入射面に入射した光が出射される出射面と、
前記入射面を挟むように設けられた第１の凸部および第２の凸部と、
を備え、
前記第１の凸部は、前記キャップに接着される面を有し、
前記第２の凸部は、前記第１の凸部の前記接着される面と同一の平面上に存在する面を有し、前記キャップに接着されないことを特徴とする光源装置。
【発明の詳細な説明】
【技術分野】
【０００１】
本発明は、レーザ光源ユニットとコリメートレンズとを備えた光源装置に関する。
【背景技術】
【０００２】
従来、プロジェクタ等のディスプレイ装置に含まれる光源には、ハロゲンランプやメタルハライドランプを用いた光源ユニットが使用されている。近年、長寿命・低消費電力・高輝度・高色純度という特徴を有するレーザ光源を用いたレーザ光源ユニットのディスプレイ装置への応用が盛んである。
【０００３】
レーザ光源ユニットをプロジェクタに使用するには、ＲＧＢ（３原色）それぞれのレーザ光源ユニットから出射される光束をそれぞれレンズによって平行化し、複数のレーザ光を空間的に結合させ、プロジェクタデバイスに入射してプロジェクタ映像を表示させる方法がある。
【０００４】
特許文献１には、半導体発光チップを内蔵したレーザ光源ユニットとレンズとをホルダーによって接続した光源装置が開示されている。
【先行技術文献】
【特許文献】
【０００５】
【特許文献１】特開平５−２３５４８４号公報（段落［００１１］）
【発明の概要】
【発明が解決しようとする課題】
【０００６】
しかしながら、特許文献１に記載の方法ではレーザ光源ユニットとレンズとを接続するためにホルダーが必要となり、部品点数が多くなってしまうという課題があった。
【０００７】
本発明は、上記のような課題を解決するためになされたものであり、従来よりも部品点数を低減した光源装置を提供するものである。
【課題を解決するための手段】
【０００８】
本発明に係る光源装置は、光源部、光源部が設置されるステム、光源部を内包し、ステムに設置され、開口部が設けられたキャップ及び開口部に設置された透過部を備えたレーザ光源ユニットと、レーザ光源ユニットの外側で透過部に接着剤により接着されたコリメートレンズと、を備え、コリメートレンズは、光源部から出射した光が入射する入射面と、入射面に入射した光が出射される出射面と、入射面を挟むように設けられた第１の凸部および第２の凸部と、を備え、第１の凸部は、透過部に接着される面を有し、第２の凸部は、第１の凸部の接着される面と同一の平面上に存在する面を有し、透過部に接着されないものである。
【０００９】
また、本発明に係る光源装置は、光源部、光源部が設置されるステム、光源部を内包し、ステムに設置され、開口部が設けられたキャップ及び開口部に設置された透過部を備えたレーザ光源ユニットと、レーザ光源ユニットの外側でキャップに接着剤により接着されたコリメートレンズと、を備え、コリメートレンズは、光源部から出射した光が入射する入射面と、入射面に入射した光が出射される出射面と、入射面を挟むように設けられた第１の凸部および第２の凸部と、を備え、第１の凸部は、キャップに接着される面を有し、第２の凸部は、第１の凸部の接着される面と同一の平面上に存在する面を有し、キャップに接着されないものである。
【発明の効果】
【００１０】
本発明に係る光源装置によれば、従来よりも部品点数を低減した光源装置を得ることができる。
【図面の簡単な説明】
【００１１】
【図１】本発明の実施の形態１に係る光源装置の断面図を概略的に示した図である。
【図２】本発明の実施の形態１に係る光源装置の断面図を概略的に示した図である。
【図３】本発明の実施の形態１に係る光源装置の変形例の断面図を概略的に示した図である。
【図４】本発明の実施の形態１に係る光源装置の効果を示すための比較例となる光源装置を概略的に示したものである。
【図５】本発明の実施の形態１に係るコリメートレンズを出射面側から見た斜視図である。
【図６】実施の形態１に係るコリメートレンズの設置位置の調整を説明するための図である。
【図７】本発明の実施の形態１に係るコリメートレンズを入射面側から見た斜視図である。
【図８】本発明の実施の形態２に係る光源装置の断面図の一部を概略的に示した図である。
【図９】本発明の実施の形態２に係るコリメートレンズを出射面側から見た斜視図である。
【発明を実施するための形態】
【００１２】
実施の形態１．
図１は、本発明の実施の形態１に係る光源装置１００を概略的に示したものである。図１において、紙面の奥方向をＸ軸の正方向、紙面左方向をＹ軸の正方向、紙面上の上方向をＺ軸の正方向とする。図２は、図１に示したＡ−Ｂ断面を概略的に示したものである。図１を用いて本発明の実施の形態１に係る光源装置１００の構成を説明する。なお、図２において、図１と同符号はそれぞれ同一の構成を示しているので、図２については詳細な説明を省略する。
【００１３】
図１に示すように、本発明の実施の形態１に係る光源装置１００は、レーザ光源ユニット３０と、当該レーザ光源ユニット３０に接着されたコリメートレンズ１２とを含む。レーザ光源ユニット３０は、光源素子１及び波長変換素子４，７を含む光源部２０と、光源部２０が設置されたステム１３と、光源部２０を内包しステム１３に設置されたキャップ１１と、キャップ１１に設けられた開口部２２に設置された透過部１０と、ステム１３を貫通し光源部２０に電力を供給するピン１４とを含む。光源部２０の詳細な構成については、後述する。
【００１４】
ステム１３は、板状に形成された部材である。ステム１３は、光源部２０を固定するとともに、光源部２０で発生した熱を光源装置１００の外部に逃す役割を担っている。また、ステム１３は、表面にＡｕメッキが施された金属材料を用いることができる。
【００１５】
キャップ１１は円筒状の中空構造で、一方は閉鎖され他方は開放されている。閉鎖された側の表面中央部には開口部２２が設けられており、開放された側においてステム１３に、例えば、プロジェクション溶接等によってロウ付け（接合）されている。キャップ１１は、表面にＮｉメッキが施されたものを用いることができる。なお、図１に示すように、ステム１３からのＺ軸正方向へのキャップ１１の長さを、キャップ１１の高さＨ１とする。
【００１６】
透過部１０は、キャップ１１に設けられた開口部２２を塞ぐように設置されている。すなわち、キャップ１１は透過部１０およびステム１３により封止されている。透過部１０には、例えば、石英ガラスを用いることができる。
【００１７】
コリメートレンズ１２は、入射面２６および出射面２４を有している。入射面２６の外側に、レーザ光源ユニット３０の外側で透過部１０に接着剤によって接着される第１の凸部２７が設けられている。コリメートレンズ１２には、例えば、石英ガラスを用いることができる。コリメートレンズ１２が透過部１０に直接接着されていることにより、例えば、コリメートレンズ１２を接着しないで保持部材等を用いて透過部１０に固定されている場合よりも部品点数を低減できるとともに経時変化によるコリメートレンズ１２の光学的なズレを低減することができる。
【００１８】
本発明の実施の形態１に係る光源装置１００によれば、光源部２０、光源部２０が設置されるステム１３、光源部２０を内包し、ステム１３に設置され、開口部２２が設けられたキャップ１１及び開口部２２に設置された透過部１０を備えたレーザ光源ユニット３０と、レーザ光源ユニット３０の外側で透過部１０に接着剤２３により接着されたコリメートレンズ１２と、を備えるので、従来よりも部品点数を低減した光源装置を得ることができる。
【００１９】
コリメートレンズ１２を透過部１０の表面に接着するための接着剤２３としては、例えば、紫外線硬化接着剤を用いることができる。紫外線硬化型接着剤を用いることにより、熱硬化性樹脂等を用いる場合よりも短時間でコリメートレンズ１２を透過部１０の表面に接着することができる。
【００２０】
本発明の実施の形態１に係る光源装置１００によれば、接着剤２３は、紫外線硬化接着剤であるので、熱硬化性樹脂を用いた場合よりも短時間でコリメートレンズ１２の接着が可能となる。
【００２１】
なお、実施の形態１では、コリメートレンズ１２は、透過部１０に接着されている例を示しているが、例えば、図３に示すように、コリメートレンズ１２を、キャップ１１に接着したものでもよい。ただし、コリメートレンズ１２および透過部１０が共に同一の材料、例えば、共に石英ガラスを用いている場合には、同一材料同士、すなわち、コリメートレンズ１２と透過部１０とを互いに接着することが望ましい。同一材料同士は、線膨張係数が同一であるため、接着面にかかる力のばらつきを回避できコリメートレンズ１２の位置ずれおよび剥落等のリスクを回避することができる。ただし、透過部１０およびコリメートレンズ１２の材料は必ずしも同一でなくともよく、線膨張係数が近い値を有していればよい。
【００２２】
本発明の実施の形態１に係る光源装置１００によれば、光源部２０、光源部２０が設置されるステム１３、光源部２０を内包し、ステム１３に設置され、開口部２２が設けられたキャップ１１及び開口部２２に設置された透過部１０を備えたレーザ光源ユニット３０と、レーザ光源ユニット３０の外側でキャップ１１に接着剤２３により接着されたコリメートレンズ１２と、を備えるので、従来よりも部品点数を低減した光源装置を得ることができる。
【００２３】
また、コリメートレンズ１２は、キャップ１１の外側で透過部１０の表面に接着されていることによりコリメートレンズ１２をキャップ１１の内側に設置した場合よりも、キャップ１１の高さを低減することもできる。図４は、キャップ２０１の内部にコリメートレンズ１２を配置するとともに、例えば、第３ブロック９にコリメートレンズ１２を接着した場合の光源装置２００を示したものである。ただし、図４において図１と同符号の構成は同一であるため説明を省略する。なお、図４は、コリメートレンズ１２をキャップ２０１の内部に配置した場合の模式的な構成を示しているので、コリメートレンズ１２の形状の詳細は省略して示している。
【００２４】
図４に示すように、コリメートレンズ１２をキャップ２０１の内部に配置した場合、キャップ２０１の高さはＨ２となる。図１に示した高さＨ１と図４に示した高さＨ２とを比較すると、ステム１３と第３ブロックとの距離は等しいので、Ｈ２＞Ｈ１である。従って、コリメートレンズ１２をキャップ１１の外部に設置することで、コリメートレンズ１２をキャップ１１の内部に設置する場合よりも、キャップ１１の高さＨ１を低くすることができる。
【００２５】
キャップ１１の高さＨ１を低くできることで、キャップ１１の製造に係るコストを低減することができるとともに、光源装置１００の小型化が実現できる。光源装置１００の小型化は、光源装置１００の外部に設置される放熱機構の小型化も可能にするため、光源装置１００を利用した装置全体の小型化も実現できる。
【００２６】
さらに、コリメートレンズ１２をキャップ１１の外部に配置することによって、第三ブロック９の上にコリメートレンズ１２を固定した場合の振動によるモーメント力がより大きくかかりることを回避することができ、コリメートレンズ１２が外れるなどのリスクを低減することも可能である。
【００２７】
光源装置１００の製造過程においては、キャップ１１内の封止工程と光源部２０とコリメートレンズ１２との光軸合わせ（調芯）工程を行う必要がある。仮に、コリメートレンズ１２をキャップ１１の内部に設置する場合、キャップ１１内の封止工程と光源部２０とコリメートレンズ１２との光軸合わせ工程とを同時に行う必要があり作業工程が複雑なものとなる。一方、コリメートレンズ１２をキャップ１１の外部に設置することによって、上記キャップ１１内の封止工程および光源部２０とコリメートレンズ１２との光軸合わせ工程を個別に行うことができるので、出射光の光軸ずれや焦点位置のブレなどのリスクが軽減されることで歩留まりを向上させるという効果がある。
【００２８】
次に、光源部２０について図１を用いて詳しく説明する。図１に示すように、光源部２０は、基本波レーザ光を発する光源素子１（励起光源）と、光源素子１から出射した基本波レーザ光を発振する第１の波長変換素子４（固体レーザ素子）と、第１の波長変換素子４によって発振されたレーザ光の波長を変換する第２の波長変換素子７と、光源素子１、第１の波長変換素子４および第２の波長変換素子７をそれぞれ設置する第１サブマウント２、第２サブマウント５、第３サブマウント８と、第１サブマウント２、第２サブマウント５および第３サブマウント８をそれぞれ設置する第１ブロック３、第２ブロック６、第３ブロック９とを含む。
【００２９】
第１ブロック３は、ステム１３に設置されている。第１ブロック３のステム１３の反対側には第２ブロック６が接続されている。また、第２ブロック６の第１ブロック３と接続されている側の反対側には第３ブロック９が接続されている。なお、図示しないが、ピン１４は、光源素子１に電力を供給可能なように接続されている。第１ブロック３とステム１３との接続、上記第１〜第３ブロック３，６，９同士の接続、上記第１〜３サブマウント２，５，８と上記第１〜第３ブロック３，６，９それぞれの接続および上記第１〜３サブマウント２，５，８と上記光源素子１，第１の波長変換素子４，第２の波長変換素子７それぞれの接続において接続剤として、はんだ、導電性接着剤、非導電性接着剤等を用いることができる。
【００３０】
光源素子１、第１の波長変換素子４および第２の波長変換素子７はステム１３側からこの順序で直線状に配置されており、レーザ光を発生する。そして、第２の波長変換素子７から出射したレーザ光は、キャップ１１に設けられた開口部２２に向かって入射する。
【００３１】
光源素子１には、例えば、ＧａＡｓを材料として用いることができる。第１の波長変換素子４の光導波路には、例えば、Ｎｄ：ＹＶＯ４、Ｎｄ：ＹＡＧを材料として用いることができる。第２の波長変換素子７には、例えば、ｉＮｂＯ３、ＬｉＴａＯ３を材料として用いることができる。第１の波長変換素子４の光導波路が、Ｎｄ：ＹＶＯ４により形成されている場合、光源素子１としては、波長８００ｎｍ帯の近赤外レーザ光を発するものを用いることができる。
【００３２】
より具体的には、波長８０８ｎｍの基本波レーザ光を発するレーザ光源を光源素子１として用いた場合、第１の波長変換素子４から出射されるレーザ光の波長は１０６４ｎｍとなる。第１の波長変換素子４から出射された波長１０６４ｎｍのレーザ光を第２の波長変換素子７に入射することにより、第２の波長変換素子７からは波長５３２ｎｍのレーザ光が出射される。すなわち、Ｇのレーザ光を出射する光源装置を得ることができる。
【００３３】
Ｇ以外の原色の光源装置では、光源装置に含まれる各種素子の数が少ない。このため、Ｇレーザのように複数の光源素子をキャップ１１内に含む構造の場合、コリメートレンズ１２をキャップ１１の外部に配置することは有効である。
【００３４】
本発明の実施の形態１に係る光源装置１００によれば、光源部２０は、光源素子１と、波長変換素子４，７とを備えているので、Ｇレーザのような高背構造の場合においても光源装置１００の小型化を実現できる。
【００３５】
次に、コリメートレンズ１２の形状について詳しく説明する。図５は、本発明の実施の形態１に係るコリメートレンズ１２を出射面２４側から見た斜視図を示したものである。上述のとおり、コリメートレンズ１２は、光源部２０から出射した光が入射するレーザ光路部としての入射面２６及び入射面２６に入射した光を出射する出射面２４を有している。なお、図５には図示しないが、コリメートレンズ１２は透過部１０と入射面２６側で接着されている。
【００３６】
コリメートレンズ１２は、入射面２６を挟むように設けられた第１の凸部２７および第２の凸部２８を含む。第１の凸部２７および第２の凸部２８はそれぞれ、同一の平面上に存在する面をそれぞれ有しており、第１の凸部２７および第２の凸部２８のそれぞれの面において透過部１０と接着または接している。
【００３７】
コリメートレンズ１２において、出射面２４はレンズ面の凸形状である。光源部２０から出射した光が、入射面２６に入射し出射面２４から出射されることにより、光源部２０から出射した光はコリメート（平行化）される。光源部２０に含まれる第２の波長変換素子７から出射されるレーザ光の広がり角度は５０〜１００ｍｒａｄであり、この角度では、例えば、プロジェクタデバイスに用いる表示素子にレーザ光を入射させることが技術的に困難であるが、コリメートレンズ１２を用いることによって２０〜３０ｍｒａｄの広がり角度にすることが可能となる。コリメートレンズ１２に入射する光の広がり角とコリメートレンズ１２から出射する光の広がり角との比を角倍率とすると、実施の形態１に示すコリメートレンズ１２の角倍率は０．３〜０．４倍であることが望ましい。
【００３８】
本発明の実施の形態１の光源装置１００によればコリメートレンズ１２は、光源部２０から出射した光の広がり角度を０．３倍〜０．４倍に変換するので、Ｇのレーザ光のコリメート化を効率的に行うことができる。
【００３９】
コリメートレンズ１２の周囲部でかつ、出射面２４の両端部には位置決め部１６が設けられている。位置決め部１６は、コリメートレンズ１２を透過部１０に設置して、接着する際の位置決めのマーキングとして用いられる。
【００４０】
図６は、本発明の実施の形態１に係るコリメートレンズ１２の透過部１０への設置位置の調整を説明するための図である。図６は、図１に示した光源装置１００をＺ軸上側（以降、上部と称す）から見た際の光源装置１００の構成の一部について示したものである。図６に示すように、光源装置１００のキャップ１１の開口部２２に設置された透過部１０にコリメートレンズ１２が設置されている。
【００４１】
図６中央部に示す点線長方形は、キャップ１１の内部に設置された第２の波長変換素子７を示しており、当該第２の波長変換素子７は光源装置１００の製造の過程でコリメートレンズ１２および透過部１０を通して上部から観測可能である。キャップ１１内に設置されている第２の波長変換素子７以外の構成は簡略のために図示していない。それ以外の構成は、図１および図５で示したものと同一であるため説明を省略する。
【００４２】
図６に示すように、コリメートレンズ１２を透過部１０へ接着する際に、上部から位置決め部１６と第２の波長変換素子７の端部とを画像認識等の方法によって合わせることにより、光源部２０の光が出射される領域にコリメートレンズ１２の入射面２６および出射面２４のレンズ面を対応させる（光軸合わせを行う）ことができる。なお、位置決め部１６の形状、位置および第２の波長変換素子７との位置の関係は上記のような構成に限られない。第２の波長変換素子７とコリメートレンズ１２の入射面２６および出射面２４のレンズ面が対応するように調整できればどのような構成であっても構わない。
【００４３】
実施の形態１に係る光源装置１００によれば、コリメートレンズ１２は、出射面２４に位置決め部１６が設けられているので、光源部２０の光が出射される領域にコリメートレンズ１２の入射面２６および出射面２４のレンズ面を対応させることができる。
【００４４】
次に、コリメートレンズ１２を透過部１０へ接着するための接着面について説明する。図７は、本発明の実施の形態１に係るコリメートレンズ１２の入射面２６側から見た斜視図を示したものである。図７において、楕円点線は接着剤２３の塗布位置１５を示している。それ以外の構成は図７と同一であるため説明を省略する。
【００４５】
図７に示すように、第１の凸部２７および第２の凸部２８は同一平面上に存在する平面をそれぞれ有している。コリメートレンズ１２を透過部１０へ接着する際、第１の凸部２７に含まれる面にのみ接着剤２３が塗布される。接着剤２３を塗布位置１５に塗布することにより、接着剤２３が入射面２６を避けて塗布されるので、接着剤２３にレーザ光が漏れ込むことによる焼けおよびアウトガスの発生を低減することができる。
【００４６】
また、第１の凸部２７および第２の凸部２８のうち、第１の凸部２７にのみ接着剤２３を塗布することにより、光源部２０の発熱によるコリメートレンズ１２自身の膨張による、コリメートレンズ１２および接着剤２３の透過部１０からの剥落、破損等を防ぐことができるとともに、コリメートレンズ１２の位置ずれを低減することができる。
【００４７】
本発明の実施の形態１に係る光源装置１００によれば、コリメートレンズ１２は、光源部２０から出射した光が入射する入射面２６と、入射面２６に入射した光が出射される出射面２４とを有し、入射面２６の外側には透過部１０に接着される第１の凸部２７が設けられているので、接着剤２３にレーザ光が漏れ込むことによる焼けおよびアウトガスの発生を低減することができる。
【００４８】
また、本発明の実施の形態１に係る光源装置１００によれば、第２の凸部は、前記透過部に接着されないので、コリメートレンズ１２および接着剤２３の透過部１０からの剥落、破損等を防ぐことができるとともに、コリメートレンズ１２の位置ずれを低減することができる。
【００４９】
第２の凸部２８は、第１の凸部２７と対応した大きさ（入射面２６から突出している高さが同一）であり、コリメートレンズ１２が透過部１０に接着された際のスペーサとして働くので、コリメートレンズ１２と透過部１０との距離の均衡度を維持することができる。以上のことから、第１の凸部２７は接着面を確保し第２の凸部２８はスペーサとしての役割を確保するため、例えば、同一平面上にある第１の凸部２７および第２の凸部２８のそれぞれの平面について、第１の凸部２７に含まれる平面の面積を第２の凸部２８に含まれる平面の面積よりも大きくすることが設計上望ましい。
【００５０】
本発明の実施の形態１に係る光源装置１００によれば、コリメートレンズ１２は、入射面２６の外側で、第１の凸部２７とは異なる位置に第１の凸部２７に対応した第２の凸部２８が設けられているので、コリメートレンズ１２と透過部１０との距離の均衡度を維持することができる。
【００５１】
実施の形態２．
図８は、本発明の実施の形態２に係る光源装置１０１の断面図を概略的に示したものである。図８は、図２に示した光源装置１００の断面図に対応するものであり、簡略化のため図２におけるキャップ１１およびピン１４を省略して示している。実施の形態２に係る光源装置１０１に含まれる、光源部３２は、複数のレーザ光１７を出射するための光源素子３３（励起光源）と、第１の波長変換素子（固体レーザ光源）３４と、第２の波長変換素子３５とを含む。また、実施の形態２に係る光源装置１０１のコリメートレンズ３１は、光源部３２から出射される複数のレーザ光１８に対応したコリメートレンズ３１を含む。
【００５２】
実施の形態２に係る光源装置１０１の光源部３２は、実施の形態１の光源装置１００の光源部２０における光源素子１、第１の波長変換素子４、第２の波長変換素子７をそれぞれ、光源素子３３、第１の波長変換素子３４、第２の波長変換素子３５に置き換えたものである。また、実施の形態２における光源装置１０１は、実施の形態１におけるコリメートレンズ１２をコリメートレンズ３１に置き換えたのである。それ以外の構成は、実施の形態１と同一であるため説明を省略する。
【００５３】
図８に示すように、実施の形態２に係る光源装置１０１の光源部３２は、複数のレーザ光１８を出射するマルチエミッタである。第２の波長変換素子３５は複数の光を出射する。すなわち、実施の形態２に係る光源部３２は、第２の波長変換素子３５の複数の光が出射される位置に対応した複数の光出射部３６を含む。複数の光出射部３６はそれぞれ図８についてのＸ軸方向に配列している。図８では光出射部３６が５つ配列した例を示しているが、光出射部３６の配列数は限定されず、光源部３２の特性に基づいて適宜調整すればよい。また、光源部３２が波長変換素子３４，３５を含まない構成の場合、光源部３２は、光源素子１が複数の光を出射する位置と対応した位置に光出射部３６を有する。
【００５４】
図９は、実施の形態２に係るコリメートレンズ３１の斜視図を示したものである。図９に示す斜視図は、実施の形態１における図５に対応したものである。図９に示すように、実施の形態２に係るコリメートレンズ３１は、出射面２４が複数のマイクロレンズ３８を含むマイクロレンズアレイ３７となっている。マイクロレンズ３８は、実施の形態１で説明した角倍率をそれぞれ有していることが望ましい。それ以外の構成は、実施の形態１の構成と同一であるため説明を省略する。
【００５５】
複数のマイクロレンズ３８は、図９に示した光源部３２の複数の光出射部３６にそれぞれ対応した数だけ出射部２４の長手方向に配置されている。マイクロレンズ３８の数は、光源部３２が有する光出射部３６の数に応じて調節することができる。
【００５６】
本発明の実施の形態２に係る光源装置１０１によれば、光源部３２は、複数の光出射部３６を有し、コリメートレンズ３１は、複数の光出射部３６にそれぞれ対応した複数のマイクロレンズ３８が配置されたマイクロレンズアレイ３７を備えるので、光源部３２がマルチエミッタである場合にも効率よく光源部３２から出射した光をコリメートすることが可能となる。
【００５７】
本発明は上記実施の形態に限定されるものではなく、その発明の範囲において、各実施の形態を自由に組み合わせたり、各実施の形態を適宜変更、省略したりすることができる。
【符号の説明】
【００５８】
４，７，３４，３６  波長変換素子
１１                キャップ
１２，３１          コリメートレンズ
１３                ステム
１６                位置決め部
２０，３２          光源部
２２                開口部
２３                接着剤
２４                出射面
２６                入射面
２７                第１の凸部
２８                第２の凸部
３０                レーザ光源ユニット
３６                光出射部
３７                マイクロレンズアレイ
３８                マイクロレンズ
１００，１０１      光源装置
【図１】
0006485002.tif 000002
【図２】
0006485002.tif 000003
【図３】
0006485002.tif 000004
【図４】
0006485002.tif 000005
【図５】
0006485002.tif 000006
【図６】
0006485002.tif 000007
【図７】
0006485002.tif 000008
【図８】
0006485002.tif 000009
【図９】
0006485002.tif 000010